(57)【要約】【課題】目的地へ向かって車両を運転するユーザにとって重要ではない地名を地図や方面案内看板から消去し、その内容を分かりやすくする。【解決手段】（ａ）に示す通常モードの地図画面では、自車位置マーク２０が示す自車位置の周囲について、ガソリンスタンドを表したアイコン２１と、コンビニエンスストアを表したアイコン２２とを地図上に表示する。さらに、地名２３および２４を地図上に表示する。これに対して、（ｂ）に示す旅行モードの地図画面では、地名２３および２４を表示しない。こうして旅行モードにおいて出発地や目的地の付近以外の場所では、ガソリンスタンドやコンビニエンスストアなどの各種施設はそのまま地図上に表示し、地名表示は消去する。【選択図】図２
2008128929.tif 000002
【特許請求の範囲】
【請求項１】
地図を表示モニタに表示する地図表示制御手段と、
出発地から目的地まで推奨経路を設定する経路設定手段と、
前記経路設定手段により設定された推奨経路を自車両が進む際に、前記出発地および前記目的地の付近を除いて、前記地図から地名表示を消去する消去手段とを備えることを特徴とするナビゲーション装置。
【請求項２】
請求項１のナビゲーション装置において、
前記消去手段は、方面案内看板にない地名表示を前記地図から消去することを特徴とするナビゲーション装置。
【請求項３】
地図を表示モニタに表示する地図表示制御手段と、
出発地から目的地まで推奨経路を設定する経路設定手段と、
前記経路設定手段により設定された推奨経路を自車両が進む際に、前方の交差点について方面案内看板を表示する方面案内看板表示手段と、
前記出発地および前記目的地の付近を除いて、前記方面案内看板表示手段により表示される方面案内看板から地名表示を消去する消去手段とを備えることを特徴とするナビゲーション装置。
【請求項４】
請求項３のナビゲーション装置において、
前記消去手段は、前記自車両が前記推奨経路を進む際の進行方向以外の地名表示を前記方面案内看板から消去することを特徴とするナビゲーション装置。
【発明の詳細な説明】
【技術分野】
【０００１】
本発明は、車両に搭載されるナビゲーション装置に関する。
【背景技術】
【０００２】
従来、地図を表示するナビゲーション装置において、その地図上に地名表示を行うことが広く一般に行われている（たとえば、特許文献１参照）。また、車両の前方にある交差点の手前において、その交差点の方面案内看板を表示することにより、交差点を通過する際にどちらに進んだらよいかを車両の運転者が判断しやすいようにしたナビゲーション装置も広く知られている（たとえば、特許文献２参照）。
【０００３】
【特許文献１】特開２００５−３２１２６８号公報
【特許文献２】特開２００１−３１１６２５号公報
【発明の開示】
【発明が解決しようとする課題】
【０００４】
特許文献１に開示されるように、出発地から目的地へ向かう途中で地図上に表示される地名や、特許文献２に開示されるように、交差点の手前で表示される方面案内看板のうち進行方向以外の地名は、目的地へ向かって車両を運転するユーザにとってさほど重要ではない。このような重要ではない地名が地図や方面案内看板において表示されると、その内容が分かりにくくなるという問題がある。
【課題を解決するための手段】
【０００５】
請求項１の発明によるナビゲーション装置は、地図を表示モニタに表示する地図表示制御手段と、出発地から目的地まで推奨経路を設定する経路設定手段と、経路設定手段により設定された推奨経路を自車両が進む際に、出発地および目的地の付近を除いて、地図から地名表示を消去する消去手段とを備えるものである。
請求項２の発明は、請求項１のナビゲーション装置において、消去手段は、方面案内看板にない地名表示を地図から消去するものである。
請求項３の発明は、地図を表示モニタに表示する地図表示制御手段と、出発地から目的地まで推奨経路を設定する経路設定手段と、経路設定手段により設定された推奨経路を自車両が進む際に、前方の交差点について方面案内看板を表示する方面案内看板表示手段と、出発地および目的地の付近を除いて、方面案内看板表示手段により表示される方面案内看板から地名表示を消去する消去手段とを備えるものである。
請求項４の発明は、請求項３のナビゲーション装置において、消去手段は、自車両が推奨経路を進む際の進行方向以外の地名表示を方面案内看板から消去するものである。
【発明の効果】
【０００６】
本発明によれば、目的地へ向かって車両を運転するユーザにとって重要ではない地名を地図や方面案内看板から消去し、その内容を分かりやすくすることができる。
【発明を実施するための最良の形態】
【０００７】
本発明の一実施形態によるナビゲーション装置の構成を図１に示す。図１に示すナビゲーション装置１は、制御回路１１、ＲＯＭ１２、ＲＡＭ１３、現在地検出装置１４、画像メモリ１５、表示モニタ１６、入力装置１７およびディスクドライブ１８を備えている。ディスクドライブ１８には、地図データが記録されたＤＶＤ−ＲＯＭ１９が装填される。
【０００８】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１により、ＤＶＤ−ＲＯＭ１９に記録された地図データに基づいて、目的地の設定、設定された目的地までの推奨経路の探索などの様々な処理が行われる。また、後述するような地図画面や方面案内看板の表示も、ＤＶＤ−ＲＯＭ１９に記録された地図データに基づいて行われる。
【０００９】
現在地検出装置１４は、自車両の位置を検出する。現在地検出装置１４は、たとえば、自車両の進行方向を検出するための振動ジャイロセンサ１４ａ、車速を検出するための車速センサ１４ｂおよびＧＰＳ衛星からのＧＰＳ信号を受信するためのＧＰＳセンサ１４ｃからなる。ナビゲーション装置１は、この現在地検出装置１４により検出される現在地に基づいて、経路探索を開始する出発地を決定したり、地図上に表示する自車位置マークの位置を決定したりすることができる。
【００１０】
画像メモリ１５は、制御回路１１から出力される画像データを一時的に格納する。画像メモリ１５に格納された画像データに基づいて、表示モニタ１６において様々な画像表示が行われる。表示モニタ１６には、ユーザのタッチパネル操作を検出するためのタッチパネル１６ａが組み合わされている。ユーザが表示モニタ１６上のいずれかの位置を指などによりタッチすると、そのタッチパネル操作がタッチパネル１６ａによって検出され、タッチ位置の情報が制御回路１１に出力される。制御回路１１は、タッチパネル１６ａからのタッチ位置情報に基づいて、表示モニタ１６に表示されている画像のどの部分がタッチされたかを判断し、その判断結果に応じた処理を実行する。これにより、ナビゲーション装置１において様々な動作が実行される。
【００１１】
入力装置１７は、各種の入力スイッチを有しており、操作パネルやリモコンなどによって実現される。ユーザは、入力装置１７の操作、あるいは上記のようなタッチパネル操作により、目的地としたい場所の住所や電話番号、施設名称などを入力することで、該当する場所を地図データから検索し、目的地に設定することができる。あるいは、地図画面上で特定の地点を指定したり、予め登録された登録地のいずれかを選択したりすることで、目的地を設定することもできる。
【００１２】
ディスクドライブ１８は、装填されたＤＶＤ−ＲＯＭ１９より地図データを読み出す。この地図データには、目的地までのルート探索に用いられる経路計算データや、交差点名称および道路名称など、設定された経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００１３】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。
【００１４】
なお、ここではＤＶＤ−ＲＯＭを用いた例について説明しているが、ＤＶＤ−ＲＯＭ以外の他の記録メディア、たとえばＣＤ−ＲＯＭやハードディスク、メモリーカードなどから地図データを読み出すこととしてもよい。あるいは、外部より携帯電話回線などを介して送信される地図データを受信し、その地図データを用いることとしてもよい。すなわち、地図データの取得にはどのような方法を用いてもよい。
【００１５】
前述のようにしてユーザに目的地が設定されると、ナビゲーション装置１は、現在地検出装置１４により検出された現在地を出発地として、前述の経路計算データに基づいて所定のアルゴリズムの演算を行うことにより、出発地から目的地までのルート探索を行う。このルート探索によって求められた経路のうちで最適な経路が推奨経路に設定される。こうして出発地から目的地まで推奨経路が設定されると、他の道路とは異なる色を使用するなどの方法により、他の道路とは区別して推奨経路が地図上に表示される。これにより、ユーザは表示モニタ１６に表示される地図画面において、推奨経路を容易に認識することができる。また、この推奨経路に従って自車両が走行できるよう、ナビゲーション装置１は、ユーザに対して画像や音声などによる進行方向指示を行うことにより、自車両を誘導する。このようにして、目的地までのルート案内が行われる。
【００１６】
次に、ナビゲーション装置１において表示される地図画面について説明する。ナビゲーション装置１は、ＤＶＤ−ＲＯＭ１９に記録された地図データに基づいて、自車位置の周辺の地図を表示モニタ１６に表示する。このときユーザは、地図の表示モードとして、通常の地図を表示するための通常モードと、遠距離に旅行する際などに利用される旅行用の地図を表示するための旅行モードのいずれかを選択できる。各モードでは、以下に説明するようにそれぞれ異なる内容の地図が表示される。
【００１７】
図２は、自車両が目的地に向かって推奨経路を進んでいるときに、ナビゲーション装置１において表示される地図画面の一例を示している。図２（ａ）は、通常モードにおいて表示される地図画面の例であり、自車位置マーク２０が示す自車位置の周囲について、ガソリンスタンドを表したアイコン２１と、コンビニエンスストアを表したアイコン２２とが地図上に表示されている。さらに、符号２３および２４に示すように、「Ａ町」および「Ｂ町」という地名がそれぞれ地図上に表示されている。
【００１８】
一方、図２（ｂ）は、旅行モードにおいて表示される地図画面の例である。この旅行モードの地図画面では、図２（ａ）の通常モードの地図画面と比べて、アイコン２１および２２については表示されているが、地名２３および２４は表示されていない。すなわち、旅行モードの地図画面では、ガソリンスタンドやコンビニエンスストアなどの各種施設は地図上に表示されるが、地名表示は消去されている。
【００１９】
自車両が目的地に向かって推奨経路を進んでいるとき、その途中で通過する地域の地名は、車両を運転するユーザにとってはさほど重要ではないと考えられる。そのため、旅行モードが選択された場合、出発地や目的地の付近以外の場所では、図２（ｂ）のような地名表示のない地図画面を表示する。その結果、必要な情報のみが地図に表示されるため、地図を見やすくすることができる。なお、旅行モードが選択されている場合であっても、推奨経路の出発地や目的地の付近では、図２（ａ）に示すような通常の地図画面を表示して地名表示を行うことが好ましい。
【００２０】
また、自車両が交差点に近づいたときに表示される方面案内看板についても、通常モードと旅行モードでは異なるものが表示される。その例を図３に示す。図３（ａ）は、通常モードにおいて、自車両の前方にある交差点３１について方面案内看板３２が表示モニタ１６に表示されたときの地図画面例である。この方面案内看板３２には、道路上に設置されている実際の方面案内看板と同じように、交差点の進行方向ごとに地名が表記されている。ユーザは、方面案内看板３２を見ることにより、交差点３１を直進方向に進むとＣ市方面、左折方向に進むとＤ町方面、右折方向に進むとＥ町方面へそれぞれ向かうと知ることができる。
【００２１】
一方、図３（ｂ）は、旅行モードにおいて、自車両の前方にある交差点３１について方面案内看板３３が表示されたときの地図画面例である。この方面案内看板３３は、上記の通常モードにおいて表示される方面案内看板３２と比べて、自車両が進むべき方向、すなわち推奨経路が延びている直進方向に対応する「Ｃ市」の地名のみが表示されており、それ以外の「Ｄ町」および「Ｅ町」の地名は消去されている。
【００２２】
このように、旅行モードが選択されているときに表示される方面案内看板では、自車両が進むべき方向ではない方向の地名が消去される。これにより、必要な情報のみが方面案内看板において表示されるため、方面案内看板を見やすくすることができる。なお、この場合も図２と同様に、旅行モードが選択されている場合であっても、推奨経路の出発地や目的地の付近では、図３（ａ）に示すような通常の方面案内看板を表示することが好ましい。
【００２３】
以上説明したようにして旅行モードの地図を表示する際のフローチャートを図４に示す。このフローチャートは、ナビゲーション装置１の制御回路１１において地図画面を表示するときに実行される。
【００２４】
ステップＳ１０では、ＤＶＤ−ＲＯＭ１９に記録されている地図データに基づいて、自車位置周辺など所定の地図範囲についての地図を表示モニタ１６に表示する。次のステップＳ２０では、地図の表示モードとして旅行モードが選択されているか否かを判定する。旅行モードが選択されている場合はステップＳ３０へ進む。一方、旅行モードが選択されていない場合、すなわち通常モードが選択されている場合は、図４のフローチャートを終了する。この場合は、通常の地図画面が表示モニタ１６に表示される。なお、地図の表示モードの選択はメニュー画面において行うことができる。
【００２５】
ステップＳ３０では、自車位置が出発地または目的地の付近にあるか否かを判定する。自車位置が出発地または目的地の付近にない場合、すなわち、予め設定された推奨経路の始点または終点から所定距離以内の地点ではない地点を自車両が走行している場合は、次のステップＳ４０へ進む。ステップＳ４０では、ステップＳ１０で表示した地図から地名を表す文字を消去する。これにより、図２（ｂ）に示すような地名表示が消去された地図画面が表示モニタ１６において表示される。ステップＳ４０を実行したらステップＳ５０へ進む。
【００２６】
一方、ステップＳ３０において自車位置が出発地または目的地の付近にあると判定された場合は、ステップＳ４０を実行せずにステップＳ５０へ進む。この場合、旅行モードが設定されていても、通常モードの場合と同様に、図２（ａ）に示すような地名を含む地図画面が表示モニタ１６において表示される。
【００２７】
ステップＳ５０では、推奨経路における自車位置から次の交差点までの距離が、予め設定された所定の距離以内であるか否かを判定する。次の交差点まで所定距離以内である場合は、次のステップＳ６０へ進む。ステップＳ６０では、ステップＳ５０で自車位置から所定距離以内にあると判定された交差点についての方面案内看板を表示モニタ１６に表示する。一方、ステップＳ５０において次の交差点まで所定距離以内ではないと判定された場合は、ステップＳ３０へ戻って上記のような処理を繰り返す。
【００２８】
ステップＳ７０では、前述のステップ３０と同様に、自車位置が出発地または目的地の付近にあるか否かを判定する。自車位置が出発地または目的地の付近にない場合は、次のステップＳ８０へ進む。ステップＳ８０では、ステップＳ６０で表示した方面案内看板から進行方向と関係ない地名を表す文字を消去する。これにより、図３（ｂ）に示すような進行方向以外の地名表示が消去された方面案内看板が表示モニタ１６において表示される。ステップＳ８０を実行したらステップＳ９０へ進む。
【００２９】
一方、ステップＳ７０において自車位置が出発地または目的地の付近にあると判定された場合は、ステップＳ８０を実行せずにステップＳ９０へ進む。この場合、旅行モードが設定されていても、通常モードの場合と同様に、図３（ａ）に示すような進行方向と関係ない地名を含む方面案内看板が表示モニタ１６において表示される。
【００３０】
ステップＳ９０では、自車両が推奨経路を走行して、ステップＳ５０において自車位置から所定距離以内であると判定された交差点を自車両が通過したか否かを判定する。自車両が交差点を通過したと判定されるまではステップＳ９０に留まり、交差点を通過したらステップＳ１００へ進む。
【００３１】
ステップＳ１００では、ステップＳ６０で表示した方面案内看板を消去する。これにより、交差点を通過したときには方面案内看板の表示を止める。ステップＳ１００を実行したらステップＳ３０へ戻り、上記のような処理を繰り返す。
【００３２】
以上説明した実施の形態によれば、次の作用効果が得られる。
（１）地図を表示モニタ１６に表示し（ステップＳ１０）、予め設定された推奨経路を自車両が進む際に、出発地および目的地の付近を除いて（ステップＳ３０）、地図から地名表示を消去する（ステップＳ４０）こととした。このようにしたので、目的地へ向かって車両を運転するユーザにとって重要ではない地名を地図から消去し、その内容を分かりやすくすることができる。
【００３３】
（２）地図を表示モニタ１６に表示し（ステップＳ１０）、予め設定された推奨経路を自車両が進む際に、前方の交差点について方面案内看板を表示する（ステップＳ６０）。このとき、出発地および目的地の付近を除いて（ステップＳ７０）、方面案内看板から地名表示を消去する（ステップＳ８０）こととした。このようにしたので、目的地へ向かって車両を運転するユーザにとって重要ではない地名を方面案内看板から消去し、その内容を分かりやすくすることができる。
【００３４】
（３）ステップＳ８０において、自車両が推奨経路を進む際の進行方向以外の地名表示を方面案内看板から消去することとした。このようにしたので、目的地へ向かって車両を運転するために必要となる進行方向の地名については、方面案内看板から消去せずに残すことができる。
【００３５】
なお、図４のフローチャートのステップＳ４０において地図から地名表示を消去する際には、全ての地名表示を消去するのではなく、方面案内看板にない地名表示のみを消去することとしてもよい。すなわち、推奨経路上に存在する各交差点の方面案内看板を対象として、その方面案内看板に表記されている地名については地図上にそのまま表示し、方面案内看板に表記されていない地名については地図上から消去する。このようにすれば、目的地へ向かって車両を運転する際にユーザが目にする地名については地図上に表示されるため、より一層分かりやすい地図内容とすることができる。なお、上記のような処理を実現させるためには、方面案内看板とそこに表記されている地名との関連を示す情報を地図データにおいて記録しておくことが好ましい。
【００３６】
以上説明した実施の形態や変形例はあくまで一例であり、発明の特徴が損なわれない限り、本発明はこれらの内容に限定されない。
【図面の簡単な説明】
【００３７】
【図１】本発明の一実施形態によるナビゲーション装置の構成を示すブロック図である。
【図２】自車両が目的地に向かって推奨経路を進んでいるときに表示される地図画面の一例であり、（ａ）は通常モードにおいて表示される地図画面例、（ｂ）は旅行モードにおいて表示される地図画面例をそれぞれ示している。
【図３】自車両の前方にある交差点について方面案内看板が表示されたときの地図画面の一例であり、（ａ）は通常モードにおいて表示される地図画面例、（ｂ）は旅行モードにおいて表示される地図画面例をそれぞれ示している。
【図４】旅行モードの地図を表示する際のフローチャートである。
【符号の説明】
【００３８】
１：ナビゲーション装置              １１：制御回路
１２：ＲＯＭ                          １３：ＲＡＭ
１４：現在地検出装置                  １５：画像メモリ
１６：表示モニタ                      １７：入力装置
１８：ディスクドライブ                １９：ＤＶＤ−ＲＯＭ
【図１】
2008128929.tif 000003
【図２】
2008128929.tif 000004
【図３】
2008128929.tif 000005
【図４】
2008128929.tif 000006